(57)【要約】      （修正有）【課題】雄コネクタと雌コネクタとの間に生じたガタが電気的接触に与える影響を抑えることのできるコネクタのシール構造を提供する。【解決手段】雌コネクタ１の端子収容部１１に外嵌されたパッキン３は、当接部１１ｂと挟持部２３とで前後方向に挟持されると、ゴム製の防水部３１が前後方向に圧縮されて弾性変形し、上下及び左右方向に全体として拡幅する。弾性変形した防水部３１の働かせる弾発力により、係止孔１２ｃと挿通部２１ｂとが強固に係止され、雌コネクタ１及び雄コネクタ２の前後方向の位置決めが行われる。また、上下及び左右の幅方向に拡幅した防水部３１が、端子収容部１１と挿通部２１とで強く挟み込まれ、端子収容部１１及び挿通部２１を介して雌コネクタ１及び雄コネクタ２の上下及び左右方向の位置決めも行われる。【選択図】図５
2010021052.tif 000002
【特許請求の範囲】
【請求項１】
雌コネクタをパッキンを介して雄コネクタに外嵌又は内嵌させてシールを行うコネクタのシール構造であって、
前記雄コネクタ及び前記雌コネクタで互いの挿脱方向に前記パッキンを挟持して、前記雄コネクタと前記雌コネクタとの間に前記パッキンを介装したことを特徴とするコネクタのシール構造。
【請求項２】
前記パッキンは、前記雄コネクタ及び前記雌コネクタによる挟持方向の一方側に位置して、前記雄コネクタ及び前記雌コネクタの何れか一方から押圧されるゴム部と、
前記ゴム部と一体化されて前記雄コネクタ及び前記雌コネクタによる挟持方向の他方側に位置し、他方の前記雄コネクタ又は前記雌コネクタから押圧される樹脂部とを備えることを特徴とする請求項１に記載のコネクタのシール構造。
【請求項３】
請求項２に記載のパッキン。
【発明の詳細な説明】
【技術分野】
【０００１】
本発明は、雌コネクタをパッキンを介して雄コネクタに外嵌又は内嵌させてシールを行うコネクタのシール構造、及び該シール構造に用いるパッキンに関する。
【背景技術】
【０００２】
コネクタのシール方法は、下記の特許文献１及び特許文献２に開示されている。特許文献１に記載の雌コネクタは、ハウジングが備えるターミナル挿入部の外周部に、合成樹脂製のリテーナを外嵌させている。リテーナには、ゴム製のシール部材が設けられている。シール部材は、ターミナル挿入部に外嵌される雄コネクタのハウジングと、ターミナル挿入部との間に介装されてシールを行う。特許文献２に記載のメスコネクタは、メスハウジングのフードに雄コネクタを収納し、フードの周囲に設けられたシール用凹部に端栓のシール部を圧入してフードの開口部を覆い、シールをしている。
【０００３】
【特許文献１】特開平７−３０４７１号公報
【特許文献２】実開平４−２４２７６号公報
【発明の開示】
【発明が解決しようとする課題】
【０００４】
コネクタでは、雄コネクタと雌コネクタとの間に生じたガタにより電気的接触が悪化する虞がある。特に自動車に搭載される等して振動の生じやすい環境では、共振を生じさせて両コネクタ同士の電気的接触が悪化し易かった。しかしながら、上記各特許文献に記載のシール方法では、シールを行うことはできても、振動を十分に抑えることはできなかった。
【０００５】
本発明は斯かる課題に鑑みてなされたもので、上記課題を解決できるコネクタのシール構造及びパッキンを提供することを目的とする。
【課題を解決するための手段】
【０００６】
このような目的を達成するために、本発明のコネクタのシール構造は、雌コネクタをパッキンを介して雄コネクタに外嵌又は内嵌させてシールを行うコネクタのシール構造であって、前記雄コネクタ及び前記雌コネクタで互いの挿脱方向に前記パッキンを挟持して、前記雄コネクタと前記雌コネクタとの間に前記パッキンを介装したことを特徴とする。
また、本発明は、前記パッキンが、前記雄コネクタ及び前記雌コネクタによる挟持方向の一方側に位置して、前記雄コネクタ及び前記雌コネクタの何れか一方から押圧されるゴム部と、前記ゴム部と一体化されて前記雄コネクタ及び前記雌コネクタによる挟持方向の他方側に位置し、他方の前記雄コネクタ又は前記雌コネクタから押圧される樹脂部とを備えることを特徴とする。
【発明の効果】
【０００７】
本発明によれば、雌コネクタ及び雄コネクタの挿脱方向に挟持されて雌コネクタと雄コネクタとの間に介装されたパッキンが十分に弾性変形して、雌コネクタと雄コネクタとの位置決めを強固に行い、雌コネクタと雄コネクタとの間に生じるガタが、両者の電気的接触に与える影響を抑えることができる。
【発明を実施するための最良の形態】
【０００８】
以下、図面を参照して、本発明の最良の形態を説明する。
図１は本実施形態の雌コネクタ１の上方からの斜視図である。図２は本実施形態の雄コネクタ２の上方からの斜視図である。
【０００９】
図１に示すように、雌コネクタ１は、端子キャビティ１１ａを前面に開口させて前後方向に延びる略四角ブロック状の端子収容部１１と、この端子収容部１１の上下及び左右の側面との間に挿通溝１３を設けて端子収容部１１の周囲を前後方向に延びる略四角筒状の外嵌部１２とを備えて構成されている。
【００１０】
外嵌部１２の上下及び左右の側壁には、相手方の雄コネクタ２に挿脱される雌コネクタ１をガイドするガイド溝１２ａが形成されている。ガイド溝１２ａは、外嵌部１２の側壁の内面に前後方向に延びている。外嵌部１２の上側の側壁のガイド溝１２ａは、他のガイド溝１２ａに比べて幅広に形成されており、その左右方向の中央部には、雄コネクタ２を係止する係止孔１２ｃが、外嵌部１２の側壁を貫通して前後方向に延びている。
【００１１】
図２に示すように、雄コネクタ２は、端子２２を後方に突出させた底面２０から後方に延びた、略四角筒状の挿通部２１を備えて構成されている。挿通部２１の上下及び左右の側壁には、雄コネクタ２に挿脱される雌コネクタ１をガイドするガイド突条２１ａが形成されている。ガイド突条２１ａは、挿通部２１の側壁の外面に前後方向に延びている。また、挿通部２１の上側の側壁の外面からは、雌コネクタ１の係止孔１２ｃに係止して雄コネクタ２からの雌コネクタ１の離脱を規制するロック部２１ｂが、上方に突出している。
【００１２】
また、挿通部２１の上下及び左右の側壁には、後述するパッキン３を雌コネクタ１とで挟持する挟持部２３が設けられている。挟持部２３は、雄コネクタ２の底面２０から前後方向の中央部にかけての挿通部２１の内径を縮経させて、挿通部２１の側壁を肉厚にして構成されている。挟持部２３の後端面は、挿通部２１の上下及び左右の側壁の連なる方向に沿って環状に延びており、平坦に形成されている。
【００１３】
図３は雌コネクタ１と雄コネクタ２との間に介装されるパッキン３を示す図であり、（ａ）は後方からの斜視図、（ｂ）は縦断面図である。図４は雌コネクタ１にパッキン３が装着された状態を示す縦断面図である。
【００１４】
図３に示すように、パッキン３は、略四角筒状を呈しており、ゴム製の防水部３１の前縁に樹脂製の振動吸収部３２を設けて構成されている。防水部３１は、前後方向の複数箇所に肉厚に形成された肉厚部３１ａを備えている。各肉厚部３１ａは、互いの間隔を等しく保ち、防水部３１の周方向に沿って環状に延びており、肉厚部３１ａの前側と後側とをシールする。
【００１５】
パッキン３は、図４に示すように、雌コネクタ１の端子収容部１１に外嵌されて挿通溝１３に収容される。端子収容部１１の後端部には、パッキン３の後面に当接して後方への移動を規制する当接部１１ｂが設けられている。当接部１１ｂは、挿通溝１３の底面から前方に向けて端子収容部１１の外径を拡径させて構成されている。当接部１１ｂの前端面は、端子収容部１１の上下及び左右方向の側面の連なる方向に沿って環状に延びており、平坦に形成されている。挿通溝１３に収容されたパッキン３は、後端面を当接部１１ｂの前端面に当接させて前後方向の位置決めをされる。
【００１６】
パッキン３を装着された雌コネクタ１は、図２に示す雄コネクタ２の挿通部２１が挿通溝１３に挿入されるように前側から雄コネクタ２に押し込まれると、挿通部２１のガイド突条２１ａに外嵌部１２のガイド溝１２ａが嵌め合わされて上下及び左右方向の位置決めをされてガイドされ、前方に移動して雄コネクタ２に装着される。雄コネクタ２に装着された雌コネクタ１は、係止孔１２ｃ内に進入したロック部２１ｂに係止孔１２ｃを係止されて後方への移動を規制されることにより、雄コネクタ２からの離脱を防止される。
【００１７】
図５は雌コネクタ１と雄コネクタ２との間にパッキン３が介装された状態を示す断面図である。図６は雌コネクタ１と雄コネクタ２との間に介装されたパッキン３を示す図であり、図５の枠Ｃで示す範囲を拡大して示す模式図である。
【００１８】
図５及び図６に示すように、雌コネクタ１の端子収容部１１に外嵌されたパッキン３は、当接部１１ｂと挟持部２３とで前後方向に挟持されると、ゴム製の防水部３１が前後方向に圧縮されて弾性変形し、上下及び左右方向に全体として拡幅する。これにより、パッキン３は、弾性変形した防水部３１の働かせる弾発力により、当接部１１ｂ及び挟持部２３を介して雌コネクタ１及び雄コネクタ２を離脱方向に付勢し、係止孔１２ｃと挿通部２１ｂとを強固に係止させた状態で、雌コネクタ１及び雄コネクタ２の前後方向の位置決めを行う。また、パッキン３は、上下及び左右の幅方向に拡幅した防水部３１を、端子収容部１１と挿通部２１とで強く挟み込まれ、端子収容部１１及び挿通部２１を介して雌コネクタ１及び雄コネクタ２の上下及び左右方向の位置決めも行う。
【００１９】
また、雌コネクタ１及び雄コネクタ２に振動が生じて、雄コネクタ２に対して上下及び左右方向に傾く力が雌コネクタ１に働いた場合には、端子収容部１１に外嵌されて雌コネクタ１と一体化され、端子収容部１１の側面に沿って環状に延びたパッキン３には、雄コネクタ２の挟持部２３からその一部分に大きな荷重を加えられる。挟持部２３から加えられた荷重は、パッキン３の前端側に位置した樹脂製の振動吸収部３２を介して防水部３１の上下及び左右方向の広い範囲に伝達され、より広い範囲で防水部３１が弾性変形する。これにより、振動に伴いパッキン３に加えられる荷重は、雄コネクタ２から直接荷重を加えられた箇所だけでなく、防水部３１の広い範囲で吸収される。
【００２０】
本実施形態によれば、雌コネクタ１及び雄コネクタ２の挿脱方向に挟持されて雌コネクタ１と雄コネクタ２との間に介装されたパッキン３が、十分に弾性変形して雌コネクタ１と雄コネクタ２との位置決めを強固に行い、雌コネクタ１と雄コネクタ２との間に生じるガタが、両者の電気的接触に与える影響を抑えることができる。
【００２１】
また、本実施形態によれば、樹脂製の振動吸収部３２に雄コネクタから加えられた荷重が、荷重を直接加えられた箇所よりも広い範囲で吸収されることから、雌コネクタ１と雄コネクタ２との間に生じる振動を、より効果的に吸収できる。
【００２２】
また、防水部３１と振動吸収部３２とが一体化されてパッキン３を構成していることから、連動防水部３１と振動吸収部３２とを連動させて、振動吸収部３２に加えられた衝撃を防水部３１で確実に吸収させることができる。また、樹脂製の衝撃吸収部３２が、雄コネクタ２の装着方向を向いて配置されていることから、雄コネクタ２の挿入力をそれほど上げずに雄コネクタ２の装着を行うことが可能となる。
【００２３】
上記実施形態では、端子収容部１１の当接部１１ｂと、挿通部２１の挟持部２３とでパッキン３を挟持した場合について説明したが、雌コネクタ１と雄コネクタ２との挿脱方向に挟持するのであれば、パッキン３の挟持方法は任意であり、挿通溝１３の底面と挟持部２３とでパッキン３を挟持しても、また、端子収容部１１の当接部１１ｂと雄コネクタ２の底面２０とで挟持してもよい。また、雌コネクタ１と雄コネクタ２との装着方法も任意であり、例えば、雌コネクタ１が外嵌部１２を備えていなくてもよい。また、パッキン３は、必ずしも衝撃吸収部３２を備えていなくてもよい。
【図面の簡単な説明】
【００２４】
【図１】本発明の一実施形態の雌コネクタの上方からの斜視図である。
【図２】本発明の一実施形態の雄コネクタの上方からの斜視図である。
【図３】雌コネクタと雄コネクタとの間に介装されるパッキンを示す図であり、（ａ）は後方からの斜視図、（ｂ）は縦断面図である。
【図４】雌コネクタにパッキンが装着された状態を示す縦断面図である。
【図５】雌コネクタと雄コネクタとの間にパッキンが介装された状態を示す断面図である。
【図６】雌コネクタと雄コネクタとの間に介装されたパッキンを示す図であり、図５の枠Ｃで示す範囲を拡大して示す模式図である。
【符号の説明】
【００２５】
１  雌コネクタ
１１  端子収容部
１１ａ  端子キャビティ
１１ｂ  当接部
１２  外嵌部
１２ａ  ガイド溝
１２ｃ  係止孔
１３  挿通溝
２  雄コネクタ
２０  底面
２１  挿通部
２１ａ  ガイド突条
２１ｂ  ロック部
２２  端子
２３  挟持部
３  パッキン
３１  防水部
３１ａ  肉厚部
３２  振動吸収部
【図１】
2010021052.tif 000003
【図２】
2010021052.tif 000004
【図３】
2010021052.tif 000005
【図４】
2010021052.tif 000006
【図５】
2010021052.tif 000007
【図６】
2010021052.tif 000008